(57)【要約】【課題】従来の高圧洗浄機は、複雑な機構で構設され重量が重く、ピストン振動が大きく音が高いという問題があり、家庭で炊事用具として野菜洗いや浴槽掃除ロボットに使用する事は、機構的に困難で課題があった。【解決の手段】軸受仕切り板を、円錐状のインペラーとブラシレスＤＣモーターが挟んで介設し、高速回転する円錐状のインペラーの回転手段で流水を圧縮し、ノズルから射出して塵芥を落とす、当て水除塵機を特徴とする。【選択図】図１
2020114583.tif 000002
【特許請求の範囲】
【請求項１】
流水弁を有する軸受仕切り板を、円錐状のインペラーとデジタル駆動のブラシレスＤＣモーターが挟んで介設し、電源部に電気二重層コンデンサーを固着する。また、冷却フアンと凹形ジヤックを電源部壁に固着し、さらに、匡体の加圧部を、軸受仕切り板から、流出ノズルに向かってカテナリ曲線状に細くなるよう形成し、前記軸受仕切り板の外郭近傍に手元スイッチを滑設する。さらに、加圧部先端に突設した流出ノズルから圧縮水を射出して塵を落とす当て水除塵機を特徴とする。
【請求項２】
請求項１記載の当て水除塵機において、軸受仕切り板を凹溝して流水路とし、前記流水路に座繰りの横穿して流水弁５ｂを貫設し、さらに、軸受仕切り板の中心位置に横穿してインペラーの回転軸を軸承する無給油プッシュを横貫し、前記無給油プッシュを軸通する回転軸の発熱を流水で冷却する当て水除塵機を特徴とする。
【発明の詳細な説明】
【技術分野】
【０００１】円錐状のインペラーの高速回転手段で流水を圧縮し、その駆動電源に電気二重層コンデンサーを使用して軽量化を図る。
【背景技術】
【０００２】    特許文献１記載の高圧洗浄機は、請求項２に、前記流水路内部の水圧に対応してピストン部がストロークする検出バルブと前記バルブのピストン部にスイッチ部が連結された可変型圧力検出スイッチと、を有する。と記載されている、従ってピストン部を有しているから振動や重量の記載が無いが、多くのピストン式から推測でき、振動や重量に特段の対策がなく課題がある。【０００３】    特許文献２記載の高圧洗浄機は、段落００２２の末尾に電動機３１の回転軸３２の回転により斜板４３が回転し，スラストベアリング４４が揺動することで、  ピストン４５を往復運動させ。と記載がある。しかし、かなり各所に消音対策を行っているが、振動量や重量の記載がなく、多くのピストン式から推測でき課題ある。【０００４】  特許文献３記載の高圧洗浄機は、段落００６３に高圧ポンプ１６はピストンポンプとして、特にアキシアルピストンポンプとして構成されている。と記載されている。従ってピトン式機構は、実体験から前記同様に振動や音大きく課題ある。
【先行技術文献】
【特許文献】
【０００５】
【特許文献１】特開２００５−７３６６号公報。
【特許文献２】特開２０１４−０３９９０２号公報。
【特許文献３】特表２０１８−５０５３３８号公報。
【特許文献４】特開２００５−３２２７３４号公報。
【非特許文献】
【０００６】
【非特許文献１】ケルヒャ家庭用高圧洗浄機ＪＴＫ３８取扱説明書・保証書
【非特許文献２】ＪＱＡ２００６年度１月ｚｎｐ，ｓｐ―３１４のｐｓｅマーク
【発明の概要】
【発明が解決しようとする課題】
【０００７】高圧洗浄機の多くはピストン式で構設されている。    したがって重量が重く、機構も複雑でピストン振動が大きく、それに伴い音が大きいという課題がある。【０００８】家庭で炊事用具として野菜洗いや浴槽掃除ロボットに使用することは、機構的に困難で課題がある。
【課題を解決するための手段】
【０００９】流水弁５ｂとニップル２ａを有する軸受仕切り板５を挟んで、円錐状のボス１ｂと羽根７ａと羽根車の軸１ｃで構成した羽根車を（全述を単にインペラー１  と述べる。）とデジタル駆動のブラシレスＤＣモーター４（以下単にモーター４述べる。）で構設し、前記インペラー１の回転軸１ｃを、軸仕切り板５に固着した無給油プッシュ３ａ（以下単にプッシュ述べる。）を軸通してモーター４の軸４ａと結合する。また電源部６内に電気二重層コンデンサー９（以下単にコンデンサー９と述べることもある。）と冷却フアン７を具備し、さらに軸受仕切り板５を凹溝して流水路２ｂとし、前記流水路２ｂに座繰穿孔５ｂして流水弁５ａを貫設する。【００１０】  匡体２０ａの加圧部１ａを、ベルヌ―イの定理を応用し、軸受仕切り板５から流出ノズル３に向かってカテナリ曲線状に細くなるよう形成し、流水が、流入口２から流出ノズル３へ流れる過程で、電源部６内の制御基板６ａがモーター４を高速回転に制御し、インペラ―１の高速回転手段で増速した流水が、遠心力を伴い加圧部１ａの画成よって圧力を高め渦流し、流出ノズル３から射水する機溝を特徴とする。
【発明の効果】
【００１１】当て水除塵機２０の、電源部６と充電器１６をセパレート化して安全性と軽量化を確保し、インペラー１を５００００／ｒｐｍ程度、回転駆動し、前記駆動するモーター４を採用したことで、高水圧が得られ、ピストン振動もなく、音も静かで、さらに、セパレート化した充電器１６で電気二重層コンデンサー・４００Ｆを１８０秒程度で満充電を可能にし、重量も５００グラム程度と軽量で、片手持ち操作で家庭の炊事用具として野菜洗いや洗車に使用することは、従来のピストン式にとって代わる当て水除塵機を特徴とする。【００１２】  連続運転で使用する場合は、電気二重層コンデンサーの特質を生かし、フロート充電方式で充電しながら使用し、その手段は、接続コード先端に設けた嵌合部材を、充電器の接続孔に挿着し、他方のコード先端に設けた凸形ジヤックを、冷却フアンの吸い込み壁に挿設した凹形充電ジヤックに挿着し、充電しながら電気二重層コンデンサーをフロート充電方式として連続使用が可能な当て水除塵機を特徴とする。
【図面の簡単な説明】
【００１３】
【図１】当て水除塵機の要部説明概念図
【図２】軸受仕切り板を座繰りして流水弁の貫設と、関連腰部の説明図
【図３】充電器の接続孔平面図
【図４】充電器の電子回路図
【発明の実施するための形態】
【００１４】〈第一の実施形態〉
当て水除塵機２０の構成は、図１に示す様に、軸受仕切り板５から、流出ノズル３に向かってカテナリ曲線状に細くなるよう形成した匡体２０ａ内に、インペラー１と軸受仕切り板５を挟んで、モーター４を介設し、電源部６の内郭部にコンデンサー９と制御基板６ａと冷却フアン７で構成する。
【００１５】前記電源部６内部に、インペラー１を回転駆動するモーター４を設え、前記モーター４の電力供給源としてコンデンサー９を固着する。またモ―ター４とコンデンサー９の発熱を、電源部６の外郭に通風用のスリットを設けた壁に冷却フアン７を嵌着し、前記フアン７の回転とスリットの冷風を共に用いて冷却する。
【００１６】電源部６内のモータート４と匡体２０ａの間隙に電制御基板６ａを固着し、前記制御基板６ａがデジタル制御してモーター４を高速回転させる、前記インペラ―１の高速回転手段で、カテナリ曲線状に細くなるよう画成された加圧部１ａ内を増速流し、渦流と遠心力の作用で圧力を高め、流水ノズル３から射水する。
【００１７】  図２に示す様に、軸受仕切り板５に、流水路２ｂを凹溝し、その凹溝に座繰りの横穿５ｂして流水弁５ａを貫設して流水を制御する。前記凹溝に接する位置に、インペラ―軸１ｃを軸承するプッシュ３ａを横貫し、前記プッシュ３ａをインペラ―軸１ｃが軸通し、前記インペラ―１の回転軸に穿孔した軸穴４ｂに、モーター４の回転軸４ａを挿入結合し、回転によって生じる軸の発熱を流水で冷却する。また、前記凹溝した流水路２ｂと匡体２０ａ内郭部下側の接する位置に、流水入口２としてニップル２ａを螺着し、前記反対上側の外郭位置に手元スイッチ８を滑設し、前記手元スイッチ８を操作することで流水弁５ｂの開閉と電源スイッチ１４のＯＮ／ＯＦ同時に行う。
【００１８】コンデンサー９を充電する充電器１６として、図３〜４に示す別設の、への字特性充電器１６（以下単に充電器１６と述べる）を安全性と軽量化を確保するため流用する。前記コンデンサー９の充電手段は、充電器１６に付属した接続コード１３の先端に設けた凸形ジヤック１２を、冷却フアンの吸い込み壁に挿着した凹形充電ジヤック１０に挿着し、さらに片方側のコード先端に設けた嵌合部材１５を充電器１６の接続孔１１に挿着し、嵌合部材１５の接点と充電器１６の接点を接触して充電する。また長時間連続しようする場合は前記手順通リの上フロート充電方式としての使用が可能となる。
【００１９】  当て水除塵機において、前記モーター４を駆動する電源としてのコンデンサー９に限らず、リチュウムイオン電池や、その他蓄電池の電力で駆動してもよい、この場合フロート充電方式としての使用は不可能となる。
【００２０】  〈第二実施形態〉
コンデンサー９の充電手段に使用する充電器とコンデンサー９は、特許文献４に基き製作したもので、図４に示す回路の負荷コンデンサーとして（非特許文献２）ＪＱＡの検査を受け合格した部材で、前記電気二重層コンデンサー９は、電解液のイオンが導電材として働き、蓄電する過程で、電荷に比例して流体運動抵抗（ＥＳＲ）が増加する。したがって、内部インピーダンス１０ミリΩの電気二重層コンデンサー９も充電して蓄電するに従って流体運動抵抗（ＥＳＲ）が増加する。
【００２１】従って、充電初期はパルス幅を細く変化させ（プリチャージ）してトランスＴ１（１７ａ），の過電流による飽和や、Ｑ１の過電流による焼損を防ぎ、蓄電量が増加するに従って負荷の端子間電圧が上昇し、電気二重層コンデンサー９の内部インピーダンスも上昇する。前記内部インピーダンスの上昇する時点から満充電にいたる過程でパルス幅を広く変化して急速充電させる。
【００２２】即ちスイッチングコンバータの動作点を電気二重層コンデンサー９のＥＳＲ値の変化に対応し、スイッチングコンバータの変調入力と、前記入力を駆動する直流電源リップルを同位相でスイッチングコンバータＱ１（１７）を制御し、従来からのフの字垂下特性開始点からさらに、への字特性構成でＱ１の過電流による焼損手前まで引っ張り、トランスＴ１（１７ａ）の過電流による飽和や、Ｑ１の過電流による焼損を保護する。
【実施例１】
【００２３】実施例のうち使用例として、各種ある対象物を車１９ａと限定し、当て水除塵をする。洗車１９は、形状や寸法が異なる車種を選別することなく清掃ができる特徴があり、前記当て水除塵機２０を動作させる手段は、水道蛇口に取り付けた継ぎ手１８ａと、当て水除塵機２０の流入口２に螺着したニップル２ａ間に屈曲自在ホース１８を接続し、水道バルブを開き、前記屈曲自在ホース１８の空気を抜けてから当て水し、除塵機の電源部外郭近傍を把手し、軸受仕切り板５外郭に滑設した手元スイッチ８を操作し、  弁開閉梃子８ａが流水弁５ｂの開閉をおこない、水圧を調整し、加圧部１ａ先端のノズル３から射出水で車１９ａに当て水し、除塵する簡単な機構が特徴とする。
【符号の説明】
【００２４】１、円錐状のインペラ―    １ａ  加圧部    １ｂ  ボス    １ｃ  インペラ−軸
２、流入口                    ２ａ  ニップル    ２ｂ  流水路
３、流出ノズル                ３ａ  無給油プッシュ
４、ブラシレスＤＣモーター    ４ａ，回転軸      ４ｂ，インペラ−軸穴
５、軸受仕切り板              ５ａ  流水弁  ５ｂ  座繰り穿孔  ５ｃ  弁軸
６、電源部                    ６ａ，制御基板
７、冷却フアン                ７ａ  羽根
８、手元スイッチ              ８ａ  弁開閉梃子  ８ｂ  軸受仕切り板蓋
９、電気二重層コンデンサー
１０、凹ジャック
１１、充電器の接続孔
１２、凸ジャック
１３、接続コ−ド
１４、電源スイッチ                          １４ａ  充電スイッチ
１５、嵌合部材
１６、への字特性充電器                １６ａ  パイロットランプ
１７、スイッチングコンバータＱ１      １７ａ，トランスＴ１
１８、屈曲自在ホース                  １８ａ  継ぎ手
１９、洗車                            １９ａ  車
２０、当て水除塵機                    ２０ａ  匡体
【図１】
2020114583.tif 000003
【図２】
2020114583.tif 000004
【図３】
2020114583.tif 000005
【図４】
2020114583.tif 000006